(57)【要約】【課題】垂れ紐状間仕切りあるいは垂れ紐状カーテンを安価に、静電気帯電防止、抗菌性、光輝性を持たせたものとする。【解決手段】並列された垂れ紐の上端相互をテープ状生地部により連結した垂れ紐状間仕切りまたは垂れ紐状カーテンで垂れ紐部を編成する際にポリエステル素材糸に加えて導電性素材糸を編み込んだことを手段とする垂れ紐状間仕切りまたは垂れ紐状カーテン。【選択図】図１
2008127731.tif 000002
【特許請求の範囲】
【請求項１】
並列された垂れ紐の上端相互をテープ状生地部により連結した垂れ紐状間仕切りまたは垂れ紐状カーテンにおいて、該垂れ紐部を編成する際にポリエステル素材糸に加えて導電性素材糸を同時に編み込んだことを特徴とする垂れ紐状間仕切りまたは垂れ紐状カーテン。
【請求項２】
請求項１において、並列された垂れ紐部に発生する静電気の帯電を防止もしくは除去する機能を持たせたことを特徴とする垂れ紐状間仕切りまたは垂れ紐状カーテン。
【請求項３】
請求項１において、導電性素材糸を銀もしくは銅、あるいはそれらの素材の一部を露出させた、フィルムとの複合糸とすることにより、垂れ紐部に抗菌性機能を持たせたことを特徴とする垂れ紐状間仕切りまたは垂れ紐状カーテン。
【請求項４】
請求項１において、導電性素材糸を銀もしくはアルミとすることにより、あるいはそれらの素材の一部を露出させた、フィルムとの複合糸とすることにより、垂れ紐部に光輝を有したことを特徴とする垂れ紐状間仕切りまたは垂れ紐状カーテン。
【発明の詳細な説明】
【技術分野】
【０００１】  本発明は、垂れ紐状間仕切りあるいは垂れ紐状カーテンに関する。
【背景技術】
【０００２】    近年、インテリアの高級化多様化志向により、垂れ紐状間仕切り或いは垂れ紐状カーテンの需要が増加している。使用量の増加につれていろいろの機能を附加したものが市場からのニーズとして高まっている。【０００３】  従来技術としては以下のものがある。
【特許文献１】特公平６−６１２９５従来技術は引例の特公平６−６１２９５の図２から図４に開示された技術であり、あらかじめ用意された紐状に編まれた糸を編み機上では緯糸である緯紐とし、経方向には引例の図３に示された経糸を編みこみ、所定の経方向長さまで編み上げて布地状にした後、この経糸を引き抜き除去して、紐部を経にして上部はテープ状生地で連結して垂れ紐状として使用するものであって垂れ紐状カーテンの製造方法に関するものである。【０００４】  しかしこの従来技術による垂れ紐状カーテンあるいは現存している同類の垂れ紐状カーテンには次の問題があった。
１）  屋内の乾燥した時期には垂れ紐同士がお互いに接触すると静電気を帯びやすく、またこれを間仕切りに使用し頻繁に人が暖簾状にこの紐部を通過するとその際に静電気を帯電するという問題があった。
２）  特に間仕切りとして使用した場合、頻繁に人が暖簾状にこの紐部を通過すると垂れ紐部が汚れやすく衛生的に問題があった。
３）  インテリアとしての装飾性及び美観を高めるために光輝機能を付加する場合、従来のポリエステル素材だけではその機能を持たせることは困難であった。
【発明の開示】
【発明が解決しようとする課題】
【０００５】本発明が解決しようとする課題は上述した従来技術の垂れ紐状間仕切りあるいは垂れ紐状カーテンの従来技術の問題点の改良にある。
【課題を解決するための手段】
【手段１】
【０００６】並列された垂れ紐状の上端相互をテープ状生地部により連結した垂れ紐状間仕切りまたは垂れ紐状カーテンにおいて、該垂れ紐部を編成する際にポリエステル素材糸に加えてを同時に編み込んだことを手段とする垂れ紐状間仕切りまたは垂れ紐状カーテン。
【手段２】
手段１において、並列された垂れ紐部に発生する静電気の帯電を防止あるいは除去する機能を持たせたことを手段とする垂れ紐状間仕切りまたは垂れ紐状カーテン。
【手段３】
手段１において、導電性素材糸を銀もしくは銅、あるいはそれらの素材の一部を露出させた、フィルムとの複合糸とすることにより、垂れ紐部に抗菌性機能を持たせたことを手段とする垂れ紐状間仕切りまたは垂れ紐状カーテン。
【手段４】
手段１において、導電性素材糸を銀もしくはアルミ、あるいはそれらの素材の一部を露出させた、フィルムとの複合糸とすることにより、垂れ紐部に光輝を有したことを手段とする垂れ紐状間仕切りまたは垂れ紐状カーテン。
【発明の効果】
【０００７】本発明の垂れ紐状間仕切りまたは垂れ紐状カーテンは以下の効果を有する。
１）  垂れ紐部を編成する際にポリエステル素材糸に加えて導電性素材糸を同時に編み込んで、垂れ紐状カーテンに仕上げるため、ポリエステル素材に比べて導電性素材のはるかに小さい電気抵抗による効果から静電気の放電を促進し帯電を防止する効果を有する。
２）  垂れ紐部を編成する際にポリエステル素材糸に加えて導電性素材糸の内、特に銀もしくは銅を用いて同時に編み込んで垂れ紐状カーテンに仕上げると、銀もしくは銅の抗菌性を垂れ紐状部も有することになり、この垂れ紐状間仕切りあるいは垂れ紐状カーテンに抗菌性機能を持たせることが出来、特に間仕切りとして使用する祭の暖簾状に人が通過する用途には汚れによる細菌の発生を防止する効果を有する衛生的なものとなる。
３）  インテリアとしての装飾性及び美観を高めるために光輝機能を付加する場合、従来のポリエステル素材では光輝機能は弱いものであった。これに対しを銀あるいはアルミ等とすることにより、あるいはそれらの素材とフィルムの複合糸とすることにより垂れ紐部にポリエステル素材より大幅に高い光輝を持たせることが出来るので  装飾性及び美観から優れた垂れ紐状間仕切りまたは垂れ紐状カーテンが実現する。
【発明を実施するための最良の形態】
【０００８】本発明を実現するための具体的な方法を以下に示す。
【実施例１】
【０００９】  図１は本発明を実施して実際の編み機上で編み上げる具体的手段の一例である。１はポリエステル素材による経糸であり黒色実線で示されている。２は本発明を実現する導電性素材糸であり用途により銀、銅、アルミ等を用い、図中では１の経糸より薄い黒色の実線で示したものである。３はこの垂れ紐状カーテンの上部をテープ状あるいは帯状に編むための横段を形成するための編み糸である。４は紐部をよりしっかりしたものとするための編み糸であり、図中では点線で示してある。
編み方は所謂鎖編みを基本としており、１の経糸は「の」の字と左右が逆の「の」の字を編み方向に交互に繰り返すようにして形成し、その際に２なる導電性素材糸を編み方向に１個置きに「の」の字状に経糸１に編みこむ。またこの種の垂れ紐状カーテンはその上部が帯状に連結して編まれるため、３なる編み糸で所望の幅までテープ状に編み上げるもので所定の幅に達したあとは紐部として１あるいは２の鎖編みに編みこむ。４なる編み糸は１の経糸や２の導電性素材糸による鎖編みに単純に通して編み込んであり、垂れ紐の太さ、組織の安定性を持たせるものである。【００１０】図１で示した２なる導電性素材糸は銀や銅あるいはアルミなどを使用するが特に装飾性や美観を高める目的で使用する場合は、これらの金属部が直接表面に露出せず、透明のフィルムで導電性素材をサンドイッチ状に挟持したものを縦方向にスリットして糸状にしたものでも良い。図２はその具体例を示したものであり、図２の（１）で５及び７は透明のフィルム、６は導電性素材である。図２の（２）は（１）の、透明のフィルム５、７で導電性素材６をサンドイッチ状に挟持したものを縦方向にスリットして糸状に加工する状態の図、図２の（３）は（２）の縦方向にスリットして糸状にしたものの拡大図である。これらは導電性素材の上下を透明フィルムで覆うので防錆効果を有して永く美観を保つことが出来る。このようにして金属の錆びを防止しながら、例えば銀を使用した場合、その光輝を永く保つことが出来る。なお図２は銀など酸化しやすい金属に適した構成である透明のフィルムで導電性素材をサンドイッチ状に挟持したものを示したものであるが、導電性素材をアルミ等にする場合は銀に比べて酸化の度合いが少ないため、透明のフィルムは片側の構成であっても良い。【００１１】本発明の静電気防止効果を図１の組織図で純銀糸を導電性素材として使用した場合の試験データを以下に示すが本データより、摩擦布をナイロンとした場合、平均値で８．９が２．４（μＣ／ｍ２），最大値で１３．０が５．１（μＣ／ｍ２）に静電気の帯電が改善されたことが分かる。
〔試験項目〕
帯電性試験
〔試験方法］
摩擦帯電電荷量測定法  −  ＪＩＳ  Ｌ  １０９４
温度、湿度      ：  ２０℃、２０％ＲＨ
摩擦布          ：  ナイロン、アクリル
【表１】
2008127731.tif 000003
【００１２】本発明の抗菌効果を示す試験データを以下に示す。通常の無加工布に植菌数Ａで植菌し、培養された菌数をＢとする。これに対し、本発明の編み組織に同じく植菌した菌数をＣとする。これらの菌数は数が多いため、対数を用いて評価する。そして静菌活性値はｌｏｇＢ−ｌｏｇＣで求められ、この値が２以上あれば抗菌効果を有するものである。
これにより本データを見ると、ｌｏｇＢが７．１、ｌｏｇＣが４．８であるため、その差が２．３となり、２を超えるため抗菌効果を有するものである。なお、この本発明の編み組織を洗濯１０回行ってもｌｏｇＣは４．７であるため、その差は２．４と安定して抗菌効果を有していることがわかる。以上のように本発明は顕著な抗菌効果を有することが分かる。
〔試験項目〕
抗菌性試験
〔試験方法〕
黄色ぶどう球菌
ＪＩＳ  Ｌ  １９０２    定量試験（菌液吸収法）による。
生菌数の測定法：混釈平板培養法
【表２】
2008127731.tif 000004
【産業上の利用可能性】
【００１３】  導電性素材糸を編糸として使用することで安価に静電気防止効果や抗菌性、光輝を有した実用性と装飾性の高い垂れ紐状間仕切りあるいは垂れ紐状カーテンを実現できる発明であるので、その工業上の利用可能性は極めて高いものといえる。
【図面の簡単な説明】
【００１４】
【図１】本発明の説明図
【図２】本発明に使用する導電性素材糸の説明図
【符号の説明】
【００１５】１、経糸
２、導電性素材糸
３、テープ状の横段を形成するための編糸
４、垂れ紐の太さ、組織の安定性を持たせるための編糸
５、７、透明なフイルム
６、導電性素材
【図１】
2008127731.tif 000005
【図２】
2008127731.tif 000006